(57)【要約】【課題】ロックピンに強い衝撃が加わった場合であっても不具合が生じないカメラボディを提供する。【解決手段】カメラボディは、交換レンズが着脱可能なカメラボディであって、延在方向に摺動するロックピンと、延在方向と平行な付勢方向にロックピンを付勢するコイルバネと、ロックピンの付勢方向への突出を規制する突出規制部材と、延在方向と平行な方向に延在するガイド部材と、ロックピンに形成され、ガイド部材と係合してロックピンの回転を規制する回転規制部材とを備え、ロックピンの付勢方向とは逆の方向への摺動はコイルバネの圧縮長により規制され、ガイド部材と回転規制部材との係合距離は、ロックピンの摺動状態によらず常に所定の長さ以上である。【選択図】図１
2015075666.tif 000002
【特許請求の範囲】
【請求項１】
交換レンズが着脱可能なカメラボディであって、
延在方向に摺動するロックピンと、
前記延在方向と平行な付勢方向に前記ロックピンを付勢するコイルバネと、
前記ロックピンの前記付勢方向への突出を規制する突出規制部材と、
前記延在方向と平行な方向に延在するガイド部材と、
前記ロックピンに形成され、前記ガイド部材と係合して前記ロックピンの回転を規制する回転規制部材とを備え、
前記ロックピンの前記付勢方向とは逆の方向への摺動は前記コイルバネの圧縮長により規制され、
前記ガイド部材と前記回転規制部材との係合距離は、前記ロックピンの摺動状態によらず常に所定の長さ以上であることを特徴とするカメラボディ。
【請求項２】
請求項１に記載のカメラボディにおいて、
前記ロックピンが有する２つの端部のうち前記逆の方向の端部により押下される、所定の押下量だけ押下可能なスイッチと、
前記スイッチが配置された基板とを備え、
前記スイッチは、前記押下量が前記ロックピンによる最大押下量よりも大きくなるように配置されることを特徴とするカメラボディ。
【発明の詳細な説明】
【技術分野】
【０００１】
本発明は、カメラボディに関する。
【背景技術】
【０００２】
従来、レンズ鏡筒を交換可能なデジタルカメラが知られている。例えば特許文献１には、ボディマウントのマウント面に、レンズ着脱ボタンの押し込み操作に連動して摺動可能なロックピン（レンズ着脱ピン）を設けたカメラ本体が記載されている。このロックピンはマウント面に対して突出しており、レンズ鏡筒をカメラ本体にロックする。
【先行技術文献】
【特許文献】
【０００３】
【特許文献１】特開２０１１−４９８２６号公報
【発明の概要】
【発明が解決しようとする課題】
【０００４】
従来技術は、ロックピンに強い衝撃が加わったとき、ロックピンが通常以上にカメラ内部に進入し、ロックピンが突出しなくなったり、カメラ内部の部材を破損してしまう等の不具合が生じる可能性があった。
【課題を解決するための手段】
【０００５】
請求項１に記載のカメラボディは、交換レンズが着脱可能なカメラボディであって、延在方向に摺動するロックピンと、前記延在方向と平行な付勢方向に前記ロックピンを付勢するコイルバネと、前記ロックピンの前記付勢方向への突出を規制する突出規制部材と、前記延在方向と平行な方向に延在するガイド部材と、前記ロックピンに形成され、前記ガイド部材と係合して前記ロックピンの回転を規制する回転規制部材とを備え、前記ロックピンの前記付勢方向とは逆の方向への摺動は前記コイルバネの圧縮長により規制され、前記ガイド部材と前記回転規制部材との係合距離は、前記ロックピンの摺動状態によらず常に所定の長さ以上であることを特徴とする。
【発明の効果】
【０００６】
本発明によれば、ロックピンに強い衝撃が加わった場合であっても不具合が生じない。
【図面の簡単な説明】
【０００７】
【図１】本発明の第１の実施の形態に係るデジタルカメラの斜視図である。
【図２】図１に示すレンズ鏡筒に備えられたマウント部を示す図である。
【図３】突出状態のロックピン２７とその周辺部を模式的に示した断面図である。
【図４】押圧状態のロックピン２７とその周辺部を模式的に示した断面図である。
【図５】回転規制部材３６の詳細を模式的に示す平面図である。
【発明を実施するための形態】
【０００８】
（第１の実施の形態）
図１は、本発明の第１の実施の形態に係るデジタルカメラの斜視図である。また図２は、図１に示すレンズ鏡筒に備えられたマウント部を示す図である。なお、理解を容易にするため、各図にＸ軸−Ｙ軸−Ｚ軸からなる三次元座標系を設定して説明する。
【０００９】
カメラボディ１およびレンズ鏡筒２は、レンズ交換式のカメラシステムを形成するものである。カメラボディ１は、筐体１０、マウント部２０等を備える。筐体１０は、カメラボディ１の外観面を形成する部分であり、例えば、金属材料や合成樹脂材料によって略直方体の箱形に形成されている。以下の説明において、筐体１０の各面部のうち、撮影時に被写体に対向する面部を、カメラボディ１の前面部と称する。
【００１０】
マウント部２０は、カメラボディ１とレンズ鏡筒２とを締結するマウント機構の一部を形成するものである。マウント部２０は、マウント基部２１、前飾り環２２、爪部２３、基準面規定部２５、ロックピン２７等を備えたバヨネット式のマウントである。
【００１１】
マウント基部２１は、例えば、合成樹脂材料によって形成された板状の部材であり、筐体１０の内側面に固定されている。前飾り環２２は円環状の部材であり、例えば、金属材料によって形成されている。前飾り環２２は、マウント基部２１にビスＶ１によって固定されている。
【００１２】
爪部２３は、カメラボディ１にレンズ鏡筒２が装着された状態において、後述するレンズ鏡筒２のマウント部７０に備えられた爪部７２に機械的に係合することによって、カメラボディ１とレンズ鏡筒２との光軸方向への相対移動を制限するものである。爪部２３は、前飾り環２２と一体成型されているものであり、前飾り環２２の内周面から前飾り環２２の内径側に突き出して形成され、光軸周りに略等しい間隔で、例えば、３つが設けられている。
【００１３】
基準面規定部２５は、例えば、金属材料によって円環状に形成された板状の部材であり、マウント基部２１にビスＶ２によって固定されている。基準面規定部２５は、正面視で前飾り環２２の内径側に配置されている。
【００１４】
ロックピン２７は、基準面規定部２５から光軸方向被写体側に突き出して形成されている。このロックピン２７は、レンズ鏡筒２がカメラボディ１に装着された状態で、レンズ鏡筒２のマウント部７０に設けられたロック孔７４に嵌合することによって、レンズ鏡筒２とカメラボディ１との光軸周りの相対回転を制限する。
【００１５】
ロックピン２７は、基準面規定部２５から突出した突出状態（図１参照）と、マウント基部２１に収容された収容状態との間を移動可能になっており、後述するバネによって突出位置に付勢されている。筐体１０の前面部には、ロックピン操作ボタン２７ａが設けられており、このロックピン操作ボタン２７ａを押し込むことによってロックピン２７を収容状態に移動させることができる。
【００１６】
次に、レンズ鏡筒２の構成について説明する。レンズ鏡筒２は、カメラボディ１に着脱可能に装着されるカメラ用アクセサリの一例であり、鏡筒本体部５０、マウント部７０等を備えている。鏡筒本体部５０は、例えば、合成樹脂材料によって円筒形状に形成されている。マウント部７０は、カメラボディ１とレンズ鏡筒２とを締結するマウント機構の他部を形成するものであり、鏡筒本体部５０の光軸方向カメラボディ側の端部に設けられている。
【００１７】
なお、図１を含む各図面に示すレンズ鏡筒２は、カメラボディ１に装着可能なレンズ鏡筒の一例であり、カメラボディ１は、このレンズ鏡筒２と実質的に同じ構成のマウント部を備えた複数種類のレンズ鏡筒が選択的に装着可能になっている。
【００１８】
以下、レンズ鏡筒２に備えられたマウント部７０の構造について説明する。レンズ鏡筒２のマウント部７０は、カメラボディ１のマウント部２０に対応した形状を有しており、マウント基部７１、爪部７２、ロック孔７４等を備えている。マウント基部７１は、鏡筒本体部５０の光軸方向カメラボディ側の開口部を閉塞する円板状の部分であり、その中央部には、被写体光を通過させるための開口部が形成されている。マウント基部７１の直径は、鏡筒本体部５０の直径よりも小さく設定されている。
【００１９】
爪部７２は、マウント基部７１の外周面からレンズ鏡筒２の径方向外側に突き出して形成されている。爪部７２は、光軸周りに略等しい間隔で、例えば、３つが設けられている。３つの爪部７２の先端部によって規定される円の直径は、鏡筒本体部５０の直径と略同じとなっている。
【００２０】
ここで、マウント基部７１は、レンズ鏡筒２がカメラボディ１に装着された状態でカメラボディ１のマウント部２０に設けられた基準面規定部２５に当接するようになっており、レンズ鏡筒２の基準面規定部として機能する。前述した爪部７２のカメラボディ側を向いた面部とマウント基部７１とは、光軸Ｏに直交する同一の平面内に配置されている。
【００２１】
ロック孔７４は、カメラボディ１のマウント部２０に備えられたロックピン２７が挿入される部分であり、マウント基部７１の光軸方向カメラボディ側を向いた面部に形成されている。
【００２２】
ここで、レンズ鏡筒２に備えられたマウント部７０の爪部７２、及び、マウント基部７１の光軸方向の配置位置について説明する。マウント部７０は、カメラボディ１のマウント部２０に対応する構成を有している。本実施形態におけるカメラボディ１のマウント部２０、レンズ鏡筒２のマウント部７０は、バヨネット式マウント機構の一種であり、カメラボディ１に対するレンズ鏡筒２の装着手順は、公知のバヨネット式マウント機構と概ね同じである。
【００２３】
すなわち、ロックピン操作ボタン２７ａを押下してロックピン２７を収容状態にした後、カメラボディ１とレンズ鏡筒２とを光軸方向に相対移動させてレンズ鏡筒２の爪部７２をカメラボディ１の爪部２３の間に挿入させる。その後、レンズ鏡筒２とカメラボディ１とを光軸周りに相対回転させる。これによって、爪部７２が爪部２３とマウント基部２１との間に挿入され、カメラボディ１とレンズ鏡筒２との光軸方向への相対移動を制限する。また、ロックピン２７が収容状態から突出状態に復帰することにより、レンズ鏡筒２に備えられたロック孔７４にカメラボディ１に備えられたロックピン２７が挿入し、レンズ鏡筒２とカメラボディ１とが締結される。
【００２４】
図３および図４は、ロックピン２７とその周辺部を模式的に示した断面図である。図３は突出状態のロックピン２７を示す図であり、図４はロックピン２７の摺動限界（可動限界）までロックピン２７を押し下げた状態（以下、押圧状態と呼ぶ）のロックピン２７を示す図である。
【００２５】
ロックピン２７は、Ｚ軸方向に延在した略円柱状の形状を有し、Ｚ軸方向に摺動される。ロックピン２７の一端３１は、基準面規定部２５から突出する。一端３１に隣接する部位は、径が一回り太い大径部３３である。ロックピン２７は、円筒状の空隙を有する保持部材３４に保持されている。保持部材３４は、大径部３３と、大径部３３以外の部位の一部とを覆う長さを有している。
【００２６】
保持部材３４内の、大径部３３と他端３２との間の部位には、コイルバネ３５が設置されている。コイルバネ３５は、大径部３３より細い径を有しており、ロックピン２７を基準面規定部２５に付勢している。コイルバネ３５が最も伸長した状態（図３参照）のとき、ロックピン２７は突出状態になる。このときのロックピン２７の突出量Ｌ１は、基準面規定部２５や保持部材３４により規制される。
【００２７】
以下の説明では、図３に示したコイルバネ３５が最も伸長した状態のことを、伸長状態と呼ぶ。また、ロックピン２７の軸方向（Ｚ軸方向）における伸長状態のときのコイルバネ３５の長さを、バネ最大長Ｌ２と呼ぶ。
【００２８】
ロックピン２７の、保持部材３４により覆われていない位置には、ロックピン２７の回転を規制する回転規制部材３６が、ロックピン２７に形成されている。ロックピン２７の他端３２に対向する位置には、多数の電子部品や電極が配置されたプリント基板３７が設けられている。プリント基板３７には、ロックピン２７の他端３２により押下されるスイッチ３８が設けられている。スイッチ３８は、例えば板状の電極を有しており、ロックピン２７の他端３２に押下され、スイッチ３８の先端がプリント基板３７と接触することにより、オン状態になる。スイッチ３８は、ロックピン２７が突出状態のときオフ状態になり、ロックピン２７が収容状態のときオン状態になるように構成される。換言すると、レンズ鏡筒２がカメラボディ１に対して取り付けられているとき、または取り外されているときにオン状態となり、その以外の状態のときにオフ状態となる。
【００２９】
回転規制部材３６は凸部３９を有している。ユーザがロックピン操作ボタン２７ａを押下すると、ロックピン操作ボタン２７ａは回転規制部材３６の凸部３９をコイルバネ３５の付勢力に抗してコイルバネ３５の付勢方向（＋Ｚ方向）とは逆の方向（−Ｚ方向）に押圧する。これにより、回転規制部材３６と、回転規制部材３６に形成されたロックピン２７とがコイルバネ３５の付勢方向（＋Ｚ方向）とは逆の方向（−Ｚ方向）に摺動され、ロックピン２７は収容状態になる。その結果、ロックピン２７の他端３２によりスイッチ３８が押下され、スイッチ３８はオン状態になる。
【００３０】
カメラボディ１には、図示しないマイコンが設けられており、カメラボディ１の各部の制御を行う。このマイコンは、スイッチ３８により切り替わるオン状態かオフ状態かを検出することにより、レンズ鏡筒２の取り付けおよび取り外しが進行中であるか否かを判定し、その判定結果に基づきカメラボディ１を制御する。
【００３１】
ロックピン操作ボタン２７ａは、図示しない規制機構により、その押下量が規制されている。ロックピン操作ボタン２７ａが限界まで押下されたとき、ロックピン２７は一端３１が基準面規定部２５から突出していない状態（すなわち収容状態）にはなるが、図４に示した押圧状態にはならない。
【００３２】
他方、例えばカメラボディ１を机上から落下させた場合など、カメラボディ１に強い衝撃が加えられた場合、ロックピン２７はこの衝撃により、一時的に（瞬間的に）図４に示す押圧状態になる可能性がある。押圧状態のとき、ロックピン２７は基準面規定部２５から突出していない状態（すなわち収容状態）である。ロックピン２７が押圧状態のとき、コイルバネ３５は互いに密着し、これ以上圧縮できない状態である。つまり、ロックピン２７は、コイルバネ３５の圧縮長により規制される。
【００３３】
以下の説明では、図４に示したコイルバネ３５が最も密着した状態のことを、密着状態と呼ぶ。また、ロックピン２７の軸方向（Ｚ軸方向）における密着状態のときのコイルバネ３５の長さを、バネ圧縮長Ｌ３と呼ぶ。ロックピン２７の移動可能距離（摺動することが可能な距離）Ｌ４は、バネ最大長Ｌ２−バネ圧縮長Ｌ３に等しい。
【００３４】
図４に示す押圧状態において、スイッチ３８はロックピン２７の他端３２により押下されている。ロックピン２７は、押圧状態のときスイッチ３８を最も大きく押下する。換言すると、ロックピン２７によるスイッチ３８の最大押下量は、ロックピン２７が押圧状態のとき最大になる。
【００３５】
他方、スイッチ３８を押下可能な押下量は、ロックピン２７が押圧状態のときロックピン２７により押下される押下量よりも大きく設定されている。つまり、ロックピン２７は、スイッチ３８を限界まで押下することはできないように配置されている。
【００３６】
このようにしたのは、プリント基板３７やスイッチ３８の耐衝撃性を高めるためである。落下等による衝撃がロックピン２７に伝わり、これによりスイッチ３８がプリント基板３７へ最大限に押しつけられるようにすると、プリント基板３７やスイッチ３８には大きな衝撃が加わることになる。プリント基板３７は多数の配線層を重ねて形成されたものであり、ロックピン２７が上記のようにスイッチ３８にぶつかると、プリント基板３７を破損するおそれがある。本実施形態では、ロックピン２７はコイルバネ３５により規制され、スイッチ３８をプリント基板３７に限界まで押しつけることがないので、落下等の衝撃がロックピン２７からプリント基板３７に伝わる量を軽減することができる。これにより、スイッチ３８やプリント基板３７の耐衝撃性が向上する。
【００３７】
図５は、回転規制部材３６の詳細を模式的に示す平面図である。図５（ａ）は、突出状態における回転規制部材３６をＸ軸方向から見た平面図であり、図５（ｂ）は同様の回転規制部材３６をＺ軸方向から見た平面図である。また、図５（ｃ）は、押圧状態における回転規制部材３６をＸ軸方向から見た平面図である。
【００３８】
保持部材３４の回転規制部材３６近傍には、ガイド部材４０が設けられている。ガイド部材４０は、略円柱状の形状を有し、ロックピン２７の軸方向に平行な方向（Ｚ軸方向）に延在する。図５（ｂ）に示すように、回転規制部材３６の一部はガイド部材４０に向かって突出し、ガイド部材４０に係合することにより、回転規制部材３６およびロックピン２７の回転を規制している。
【００３９】
以下の説明において、回転規制部材３６のうちガイド部材４０と係合している部位を係合部４１と呼ぶ。また、係合部４１のＺ軸方向における長さを係合部長Ｌ５と呼び、ガイド部材４０と回転規制部材３６とがＺ軸方向において係合されている長さを係合距離Ｌ６と呼び、押圧状態における係合部４１の最下部からガイド部材４０の最上部までの長さを係合余地Ｌ７と呼ぶ。
【００４０】
図５（ａ）に示すように、本実施形態において、ガイド部材４０のＺ軸方向における長さは、係合部長Ｌ５よりも大きい。また、突出状態における係合距離Ｌ６は、係合部長Ｌ５に等しい。
【００４１】
図５（ｃ）に示すように、押圧状態になると、ロックピン２７および回転規制部材３６は、紙面上方向（−Ｚ方向）に移動可能距離Ｌ４だけ移動する。このとき、係合距離Ｌ６は、突出状態のときと比べて小さくなるが、０にはならない。換言すると、押圧状態のときであっても、係合距離Ｌ６は一定の長さ以上に保たれる。
【００４２】
このようにしたのは、係合部４１がガイド部材４０から脱落するのを防ぐためである。具体的には、次式（１）に示す不等式が満たされるようにロックピン２７等を構成すれば、押圧状態であっても係合距離Ｌ６が０にならず、係合部４１のガイド部材４０からの脱落を防止することができる。
Ｌ４＝Ｌ２−Ｌ３  ＜  Ｌ７      …（１）
換言すると、係合余地Ｌ７が、移動可能距離Ｌ４よりも一定量以上大きくなるようにすればよい。
【００４３】
なお、上式（１）の関係は、バネ最大長Ｌ２を小さくするか、バネ圧縮長Ｌ３を大きくするか、係合余地Ｌ７を大きくする（Ｚ軸方向におけるガイド部材４０の長さを長くする）ことで達成可能である。ただし、ガイド部材４０を長くしすぎると、ガイド部材４０が破損しやすくなり（折れやすくなり）、ガイド部材４０の耐衝撃性が低下してしまう。そのため、保持部材３４を短くしたり、大径部３３を長くすることにより、バネ最大長Ｌ２を小さくすることと組み合わせることが望ましい。
【００４４】
上述した第１の実施の形態によるデジタルカメラによれば、次の作用効果が得られる。
（１）ロックピン２７は、延在方向（Ｚ軸方向）に摺動する。コイルバネ３５は、延在方向と平行な付勢方向（＋Ｚ方向）にロックピン２７を付勢する。基準面規定部２５および保持部材３４は、ロックピン２７の付勢方向への突出を規制する。ガイド部材４０は、延在方向と平行な方向（−Ｚ方向）に延在している。回転規制部材３６は、ロックピン２７に形成され、ガイド部材４０と係合してロックピン２７の回転を規制する。ロックピン２７の付勢方向とは逆の方向（−Ｚ方向）への摺動は、コイルバネ３５の圧縮長により規制される。また、ガイド部材４０と回転規制部材３６との係合距離Ｌ６は、ロックピン２７の摺動状態によらず常に所定の長さ以上である。このようにしたので、ロックピンに強い衝撃が加わった場合であってもカメラボディ１に不具合が生じない。
【００４５】
（２）スイッチ３８は、ロックピン２７が有する２つの端部（一端３１、他端３２）のうち、コイルバネ３５の付勢方向とは逆の方向の端部（他端３２）により押下される。スイッチ３８は、所定の押下量だけ押下可能に構成されている。スイッチ３８は、プリント基板３７に配置されている。スイッチ３８は、押下可能な押下量がロックピン２７による最大押下量よりも大きくなるように配置される。このようにしたので、ロックピン２７からプリント基板３７等に与えられる衝撃力が軽減され、プリント基板３７等の破損が抑止される。
【００４６】
次のような変形も本発明の範囲内であり、変形例の一つ、もしくは複数を上述の実施形態と組み合わせることも可能である。
【００４７】
（変形例１）
プリント基板３７に設けられるスイッチ３８は、ロックピン２７により押圧されることで動作するスイッチであれば、どのような種類のスイッチであってもよい。例えばレバーの角度によりオンオフするスイッチであってもよいし、いわゆるプッシュスイッチであってもよい。
【００４８】
（変形例２）
第１の実施の形態において、回転規制部材３６は、ロックピン２７の回転を規制する役割（係合部４１による）と、ロックピン操作ボタン２７ａの押下に応じてロックピン２７を摺動させる役割（凸部３９による）とを兼ね備えていた。回転規制部材３６を、ロックピン２７に一体の２つの部材として構成し、それら２つの部材に上述の２つの役割をそれぞれ別々に持たせてもよい。換言すると、係合部４１と凸部３９とをそれぞれ別体としてもよい。
【００４９】
（変形例３）
第１の実施の形態では、ロックピン２７から見て＋Ｙ方向に係合部４１を設け、＋Ｘ方向に凸部３９を設けていた。この、係合部４１と凸部３９との相対的な位置関係は一例であり、これとは異なる位置関係としてもよい。
【００５０】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５１】
１…カメラボディ、２…レンズ鏡筒、２７…ロックピン、２７ａ…ロックピン操作ボタン、３４…保持部材、３５…コイルバネ、３６…回転規制部材、３８…スイッチ、４０…ガイド部材
【図１】
2015075666.tif 000003
【図２】
2015075666.tif 000004
【図３】
2015075666.tif 000005
【図４】
2015075666.tif 000006
【図５】
2015075666.tif 000007